(57)【要約】【課題】低負荷でジャム除去ダイヤルを回わし、操作性よくジャム解除を可能とし、かつ、ジャム除去を行う際には、給紙カバーを開けるだけでよく、本機構を搭載した装置の胴回りを増加させることがなく装置の設置スペースの縮小化を可能とする。【解決手段】給紙搬送面を境に、給送ガイドの機能を併せ持つ給紙カバー７と上給紙搬送ローラを含む上ユニットと、下給紙搬送ローラを含む下ユニットとが、開閉可能に分割された機構であって、搬送経路を構成する内側搬送ガイド９および外側搬送ガイドと、下給紙搬送ローラを手動で回転させるジャム解除ダイヤル２７と、を備え、内側搬送ガイド９のうち搬送ローラシャフト軸支部以外の部分と、給紙カバー７とが、連結機構によって接続されており、給紙カバー７を上方に開けることで、連結機構によって接続されている内側搬送ガイド９がより内側に移動し、搬送経路の用紙厚さ方向を広げる。【選択図】        図３
2010083657.tif 000002
【特許請求の範囲】
【請求項１】
給紙搬送面を境に、給送ガイドの機能を併せ持つ給紙カバーと上給紙搬送ローラを含む上ユニットと、下給紙搬送ローラを含む下ユニットとが、開閉可能に分割された給紙搬送装置のジャム解除機構であって、
搬送経路を構成する内側搬送ガイドおよび外側搬送ガイドと、
前記下給紙搬送ローラを手動で回転させるジャム解除ダイヤルと、
を備え、
前記内側搬送ガイドのうち搬送ローラシャフト軸支部以外の部分と、前記給紙カバーとが、連結機構によって接続されており、前記給紙カバーを上方に開けることで、前記連結機構によって接続されている前記内側搬送ガイドがより内側に移動し、搬送経路の用紙厚さ方向を広げることを特徴とする給紙搬送装置のジャム解除機構。
【請求項２】
前記連結機構によって接続される内側搬送ガイドが、複数に分割されており、前記給紙カバーを開けることで、それぞれの内側搬送ガイドが、支軸を中心に回転し、搬送経路上の用紙厚さ方向の箇所で広がることを特徴とする請求項１に記載の給紙搬送装置のジャム解除機構。
【請求項３】
前記内側搬送ガイドは、
第１搬送ローラの上流側に設けられ、支軸を中心に回転可能な第１内側搬送ガイドと、
前記第１搬送ローラと第２搬送ローラの間に設けられ、原稿読み取り面に対して垂直方向に直線運動可能な読み取り部内側搬送ガイドと、
前記第２搬送ローラの下流側に設けられ、支軸を中心に回転可能な第２内側搬送ガイドと、
の３つに分割構成され、
前記給紙カバーを開けて搬送経路上で用紙厚さ方向の幅を広げる際に、反対に搬送経路上で用紙厚さ方向に狭まってしまう箇所をなくすことを特徴とする請求項２に記載の給紙搬送装置のジャム解除機構。
【請求項４】
前記給紙カバーと前記３つの各搬送ガイドとを連結する連結機構が、前記給紙カバーを開けることにより生じる力を方向変換させて、前記３つの各搬送ガイドに伝達させ、前記給紙カバーを開ける際に生じる前記３つに分割されている各搬送ガイドの回転または直線移動量をより多くとり、搬送経路の用紙厚さ方向の幅をより広くすることを特徴とする請求項３に記載の給紙搬送装置のジャム解除機構。
【請求項５】
前記連結機構が、前記第１搬送ローラの上流側にある第１内側搬送ガイドと、前記読み取り部内側搬送ガイドとが、複数のアーム状部品とギアによって連結され、かつ、前記第２搬送ローラの下流側の第２内側搬送ガイドと読み取り部内側搬送ガイドとが、複数のアーム状の部品とギアによって連結され、
前記給紙カバーを開けることで、前記第１搬送ローラの上流側にある第１内側搬送ガイドが回転接線方向に引っ張られ、かつ前記第２内側搬送ガイドが回転接線方向に引っ張られることを特徴とする請求項４に記載の給紙搬送装置のジャム解除機構。
【請求項６】
前記第１内側搬送ガイドおよび第２内側搬送ガイドが、前記給紙カバーの閉時に回転運動を規制する弾性部材で支持され、かつ前記読み取り部内側搬送ガイドが、前記給紙カバーの閉時に直線運動を規制する弾性部材で支持されていることを特徴とする請求項２〜５のいずれか一つに記載の給紙搬送装置のジャム解除機構。
【請求項７】
前記給紙カバーの閉時に、読み取り部内側搬送ガイドの用紙幅方向の運動を規制する機構を設けることを特徴とする請求項１〜６のいずれか一つに記載の給紙搬送装置のジャム解除機構。
【請求項８】
前記読み取り部内側搬送ガイドを支持するピンと、
前記読み取り部内側搬送ガイドを、前記ピンを介してジャム解除機構の中央部側へ付勢する付勢手段と、
を備え、
前記給紙カバーの閉時に、前記読み取り部内側搬送ガイドは、前記付勢手段により前記ピンを介して用紙幅方向の運動が規制されることを特徴とする請求項７に記載の給紙搬送装置のジャム解除機構。
【請求項９】
前記給紙カバーを開け、搬送経路の用紙厚さ方向の幅を広げた際、その給紙カバー開き状態を維持する開時維持手段を備えることを特徴とする請求項１〜８のいずれか一つに記載の給紙搬送装置のジャム解除機構。
【請求項１０】
前記給紙カバーに、給紙カバー保持ピンが組み付けられており、かつ、前記給紙カバー保持ピンには、当該給紙カバー保持ピンを常に側板側に付勢する付勢手段が設けられ、
前記側板には、前記給紙カバーが所定の角度まで開いたときに、給紙カバー保持ピンを収容することで前記給紙カバーの開閉動作を規制し、かつ、一定の力以上で前記給紙カバーを閉じる際には、前記給紙カバー保持ピンが移動できる給紙カバー保持ピン収容溝が設けられていることを特徴とする請求項９に記載の給紙搬送装置のジャム解除機構。
【発明の詳細な説明】
【技術分野】
【０００１】
本発明は、スキャナ、ファクシミリ装置、複写機など用紙を自動搬送し、原稿を読み取る給紙搬送装置のジャム解除機構に関するものである。
【背景技術】
【０００２】
従来、原稿読み取り装置などの搬送経路内にて発生した用紙ジャム（紙づまり）を解除するものとして、搬送ローラを回転させるシャフトの端にダイヤル状のつまみを設けて、つまみを手動で回転させることで用紙を所定の位置まで搬送させジャム解除を行う機構が開示されている。(たとえば、特許文献１参照)。また、搬送ローラを回転させるシャフトの端にレバーを設けて、そのレバーを回すことで搬送ローラシャフトを搬送経路から遠ざけ、手動でジャム解除ができる機構が開示されている(たとえば、特許文献２参照)。また、搬送ローラを有するユニットを支軸を中心に回転させ、搬送経路を開放させることで、手動でジャム解除を行う機構が開示されている(たとえば、特許文献３参照)。
【０００３】
【特許文献１】実登第２５１５１７３号公報
【特許文献２】特開２００２−３２６４０５号公報
【特許文献３】特開２００５−３０５８９５号公報
【発明の開示】
【発明が解決しようとする課題】
【０００４】
しかしながら、上記に示されるような特許文献１の技術にあっては、搬送経路内にて、用紙が蛇腹状になるジャムが発生し、手動にて用紙を搬送させる場合、用紙の蛇腹になっている箇所と用紙搬送経路の接触摩擦により、ジャム解除ダイヤルが回しづらかった。また、特許文献２の技術にあっては、搬送経路内にて、用紙が蛇腹状になるジャムが発生し、搬送ローラシャフトを搬送経路から遠ざけ、手動にてジャム解除を行う場合、上記にて記載した理由により、用紙が取り除きづらかった。また、特許文献３の技術にあっては、この機構を搭載した装置は、ユニットを開閉させる毎に装置の胴回り長さが増加してしまうことになる。すなわち、装置を設置するスペースは、装置の通常使用時に必要となる設置スペースよりもさらに余分にとっておかなくてはならず、設置スペースを増大させてしまうといった問題点があった。
【０００５】
本発明は、上記に鑑みてなされたものであって、低負荷でジャム除去ダイヤルを回わし、操作性よくジャム解除を可能とし、かつ、ジャム除去を行う際には、給紙カバーを開けるだけでよく、本機構を搭載した装置の胴回りを増加させることがなく装置の設置スペースの縮小化を可能とすることを目的とする。
【課題を解決するための手段】
【０００６】
上述した課題を解決し、目的を達成するために、請求項１にかかる発明は、給紙搬送面を境に、給送ガイドの機能を併せ持つ給紙カバーと上給紙搬送ローラを含む上ユニットと、下給紙搬送ローラを含む下ユニットとが、開閉可能に分割された給紙搬送装置のジャム解除機構であって、搬送経路を構成する内側搬送ガイドおよび外側搬送ガイドと、前記下給紙搬送ローラを手動で回転させるジャム解除ダイヤルと、を備え、前記内側搬送ガイドのうち搬送ローラシャフト軸支部以外の部分と、前記給紙カバーとが、連結機構によって接続されており、前記給紙カバーを上方に開けることで、前記連結機構によって接続されている前記内側搬送ガイドがより内側に移動し、搬送経路の用紙厚さ方向を広げることを特徴とする。
【０００７】
また、請求項２にかかる発明は、請求項１の記載において、前記連結機構によって接続される内側搬送ガイドが、複数に分割されており、前記給紙カバーを開けることで、それぞれの内側搬送ガイドが、支軸を中心に回転し、搬送経路上の用紙厚さ方向の箇所で広がることを特徴とする。
【０００８】
また、請求項３にかかる発明は、請求項２の記載において、前記内側搬送ガイドは、第１搬送ローラの上流側に設けられ、支軸を中心に回転可能な第１内側搬送ガイドと、前記第１搬送ローラと第２搬送ローラの間に設けられ、原稿読み取り面に対して垂直方向に直線運動可能な読み取り部内側搬送ガイドと、前記第２搬送ローラの下流側に設けられ、支軸を中心に回転可能な第２内側搬送ガイドと、の３つに分割構成され、前記給紙カバーを開けて搬送経路上で用紙厚さ方向の幅を広げる際に、反対に搬送経路上で用紙厚さ方向に狭まってしまう箇所をなくすことを特徴とする。
【０００９】
また、請求項４にかかる発明は、請求項３の記載において、前記給紙カバーと前記３つの各搬送ガイドとを連結する連結機構が、前記給紙カバーを開けることにより生じる力を方向変換させて、前記３つの各搬送ガイドに伝達させ、前記給紙カバーを開ける際に生じる前記３つに分割されている各搬送ガイドの回転または直線移動量をより多くとり、搬送経路の用紙厚さ方向の幅をより広くすることを特徴とする。
【００１０】
また、請求項５にかかる発明は、請求項４の記載において、前記連結機構が、前記第１搬送ローラの上流側にある第１内側搬送ガイドと、前記読み取り部内側搬送ガイドとが、複数のアーム状部品とギアによって連結され、かつ、前記第２搬送ローラの下流側の第２内側搬送ガイドと読み取り部内側搬送ガイドとが、複数のアーム状の部品とギアによって連結され、前記給紙カバーを開けることで、前記第１搬送ローラの上流側にある第１内側搬送ガイドが回転接線方向に引っ張られ、かつ前記第２内側搬送ガイドが回転接線方向に引っ張られることを特徴とする。
【００１１】
また、請求項６にかかる発明は、請求項２〜５のいずれか一つに記載において、前記第１内側搬送ガイドおよび第２内側搬送ガイドが、前記給紙カバーの閉時に回転運動を規制する弾性部材で支持され、かつ前記読み取り部内側搬送ガイドが、前記給紙カバーの閉時に直線運動を規制する弾性部材で支持されていることを特徴とする。
【００１２】
また、請求項７にかかる発明は、請求項１〜６のいずれか一つに記載において、前記給紙カバーの閉時に、読み取り部内側搬送ガイドの用紙幅方向の運動を規制する機構を設けることを特徴とする。
【００１３】
また、請求項８にかかる発明は、請求項７の記載において、前記読み取り部内側搬送ガイドを支持するピンと、前記読み取り部内側搬送ガイドを、前記ピンを介してジャム解除機構の中央部側へ付勢する付勢手段と、を備え、前記給紙カバーの閉時に、前記読み取り部内側搬送ガイドは、前記付勢手段により前記ピンを介して用紙幅方向の運動が規制されることを特徴とする。
【００１４】
また、請求項９にかかる発明は、請求項１〜８のいずれか一つに記載において、前記給紙カバーを開け、搬送経路の用紙厚さ方向の幅を広げた際、その給紙カバー開き状態を維持する開時維持手段を備えることを特徴とする。
【００１５】
また、請求項１０にかかる発明は、請求項９の記載において、前記給紙カバーに、給紙カバー保持ピンが組み付けられており、かつ、前記給紙カバー保持ピンには、当該給紙カバー保持ピンを常に側板側に付勢する付勢手段が設けられ、前記側板には、前記給紙カバーが所定の角度まで開いたときに、給紙カバー保持ピンを収容することで前記給紙カバーの開閉動作を規制し、かつ、一定の力以上で前記給紙カバーを閉じる際には、前記給紙カバー保持ピンが移動できる給紙カバー保持ピン収容溝が設けられていることを特徴とする。
【発明の効果】
【００１６】
本発明にかかる給紙搬送装置のジャム解除機構は、用紙搬送経路内にて用紙が蛇腹状になる搬送ジャムが発生した場合でも、給紙カバーを開けることで、搬送経路の用紙厚さ方向の幅を広げることができるので、搬送ジャムにより蛇腹状になった用紙とその用紙がある搬送経路との接触面積を低減できるため、低負荷でジャム除去ダイヤルを回すことができ、操作性よくジャム解除を行うことができる。また、ジャム除去を行う際には、給紙カバーを開けるだけで良く、本機構を搭載した装置の胴回りを増加させることがないので、設置スペースを縮小化することができるという効果を奏する。
【発明を実施するための最良の形態】
【００１７】
以下に添付図面を参照して、この発明にかかる給紙搬送装置のジャム解除機構の最良な実施の形態を詳細に説明する。
【００１８】
（第１の実施の形態）
図１〜図８は、この実施の形態にかかる給紙搬送装置のジャム解除機構の構成を示す説明図である。図１は、給紙カバー７を閉じているときの全体の斜視図を示す。図２は、給紙カバー７と搬送経路およびこれらを連結する部材を示す(給紙カバー７は閉じた状態)。図３は、給紙カバー７を開けたときの全体の斜視図を示す。図４は、読み取り部内側搬送ガイド１２におけるスプリング１５の組み付け状態を示す。図５は、この実施の形態にかかる給紙搬送装置のジャム解除機構を搭載した原稿読み取り装置の側面図を示す。図６は、給紙カバー７に、給紙保持ピン３が組み付けられている状態(給紙カバー７は開いた状態)の図を示す。図７は、給紙カバー７を所定角度まで開けたときに、給紙保持ピン３が側板１０にある収容溝３０に収容される状態を示す。図８は、搬送ガイド規制ピン３２が読み取り部内側搬送ガイド１２を、用紙幅方向に規制している状態を示す。
【００１９】
これらの図において、符号１は分離パッド、符号３は給紙カバー保持ピン、符号４はピックアップローラ、符号５はローラフォルダ、符号６は分離ローラ、符号７は給紙カバー、符号８はメインアーム、符号９は内側搬送ガイド、符号１０は側板、符号１１は第１内側搬送ガイド、符号１２は読み取り部内側搬送ガイド、符号１３は第２内側搬送ガイド、符号１４は第１サブアーム、符号１５はスプリング、符号１６はトーションスプリング、符号１７は第１ギア、符号１８は第２ギア、符号１９は第２サブアーム、符号２０は第３サブアーム、符号２１は第３ギア、符号２２は規制板、符号２３は第４サブアーム、符号２４は第４ギア、符号２５は第１搬送ローラ、符号２６は第２搬送ローラ、符号２７はジャム解除ダイヤル、符号２８はジャム解除ダイヤル連結用ギア、符号２９はタイミングベルト、符号３０はピン収容溝、符号３１は保持ピン用スプリング、符号３２は搬送ガイド規制ピン、符号３３は規制ピン用スプリングである。
【００２０】
なお、図１、図２ではジャム解除ダイヤル２７、タイミングベルト２９、他部品を見やすくするためジャム解除ダイヤル連結用ギア２８を敢えて図示していない。また、図４では、メインアーム８、ジャム解除ダイヤル２７、タイミングベルト２９、ジャム解除ダイヤル連結用ギア２８、第１サブアーム１４、第２サブアーム１９、第３サブアーム２０、第４サブアーム２３、第１ギア１７、第２ギア１８、第３ギア２１、第４ギア２４をスプリング１５を見やすくするため敢えて図示していない。また、図９では、メインアーム８、ジャム解除ダイヤル２７、タイミングベルト２９、ジャム解除ダイヤル連結用ギア２８を他部品を見やすくするため敢えて示していない。
【００２１】
また、これらの図において、矢印Ａは給紙カバー７を開けたときの読み取り部内側搬送ガイド１２の移動方向、矢印Ｂは給紙カバー７を開けたときの第１内側搬送ガイド１１の回転方向、矢印Ｃは給紙カバー７を開けたときの第２内側搬送ガイド１３の回転方向、矢印Ｄは給紙カバー７を開けたときの給紙カバー保持ピン３の移動する方向、矢印Ｅは給紙カバー７を閉じるときに給紙カバー保持ピン３の移動する方向、矢印Ｆは給紙カバー保持ピン３の付勢方向、矢印Ｇは給紙カバー７を開ける方向、をそれぞれ示す。
【００２２】
[用紙給紙部の説明]
図１にしたがって用紙給紙部の構成および動作について説明する。
【００２３】
《用紙給紙部の構成》
給紙カバー７は、側板１０にて軸支されている。また、給紙カバー７は、ローラフォルダ５を軸支しており、さらに、ローラフォルダ５は、ピックアップローラ４および、分離ローラ６を軸支している。ピックアップローラ４、分離ローラ６は、図示しない給紙モータ(例えばステッピングモータ)によって駆動されるようになっている。さらに、ピックアップローラ４および分離ローラ６は給紙クラッチ（たとえばディスク型の電磁クラッチあるいはソレノイドによるメカクラッチ）により給紙モータによる駆動系と接続され、給紙モータからの駆動力の伝達を所定のタイミングでＯＮ／ＯＦＦする構成となっている。
【００２４】
《用紙給紙部の動作》
用紙を給紙する際、給紙モータが回転し、その駆動力によってローラフォルダ５が下降する。同時に分離ローラ６も回転する。ローラフォルダ５が下降することで、ピックアップローラ４も下降および回転する。原稿積載用トレイにある積載された用紙(図示はしていない)のうち、上層部にある複数枚の用紙が、ピックアップローラ４によって分離ローラ６と分離パッド１の接触するニップ部まで運ばれ、ニップ部にて最上層の用紙のみが摩擦分離され、内側搬送ガイド９を通過し、原稿搬送経路内へと搬送される。
【００２５】
[用紙搬送部の説明]
つぎに用紙搬送部の構成および動作について図１にしたがって説明する。
【００２６】
《用紙搬送部の構成》
図１に示すように、用紙搬送経路内には、第１搬送ローラ２５、第２搬送ローラ２６が設置されており、ギアを介して、図示はしていない駆動モータの駆動力が伝達されるようになっている。また図示はしていないが、回転自在な従動ローラが、各搬送ローラと対になって設けられている。
【００２７】
《用紙搬送部の動作》
搬送経路内に進入した１枚の用紙は、第１搬送ローラ２５、第２搬送ローラ２６によって搬送される。その際、用紙は、原稿読み取り面を通過し、用紙の印字部を読み取られる。
【００２８】
《センサの説明》
搬送経路内には、図示はしないが、センサが設けられている。センサは発光素子から発した光を搬送される用紙で反射して受光素子で受けることにより用紙を検知する反射型センサまたは、発光素子で発し、受光素子で受けていた光を用紙で遮断することにより用紙を検知する透過型センサなどで構成される。原稿読み取り装置が用紙を給紙開始後に、一定時間経過しても、センサが用紙を検知しない場合、原稿読み取り装置は、搬送経路内にてジャムまたは、給紙部にて不給紙、が発生したとみなし、用紙の読み取り動作を停止する。また、センサは、搬送経路内を通過する用紙の先端を検知することにより、原稿読み取り位置での原稿先端通過と画像読み取り開始とのタイミングを合わせる機能も果たす。
【００２９】
[ジャム解除機構の説明]
つぎに、図２、図３、図４、図５を参照しジャム解除機構について説明する。
【００３０】
《ジャム解除機構の構成》
〔給紙カバー７〕
図２に示すように、給紙カバー７は、メインアーム８の片側を固定している。また、給紙カバー７は、給紙カバー保持ピン３をも軸支している。
【００３１】
〔給紙カバー保持ピン３〕
図６に示すように、給紙カバー保持ピン３は、給紙カバー７にて片側を軸支されており、もう片側は、側板１０に接触している。さらに、給紙カバー保持ピン３は、保持ピン用スプリング３１によって、常に側板１０側(図６でいう矢印Ｅ方向）に付勢されている。給紙カバー保持ピン３の側板との接触部分は、先頭部が曲線状になっているが、直線状になっていても構わない。
【００３２】
〔側板１０〕
図７にて示すように、側板１０には、給紙カバー７が所定の角度まで開いたときに、給紙カバー保持ピン３が、収容されるよう、ピン収容溝３０が設けられている。ピン収容溝３０は曲線状の溝となっているが、直線状の溝でも構わない。また、図４にて示すように、側板１０には、読み取り部内側搬送ガイド１２の用紙幅方向の移動を規制するための規制板２２(下記にて後述する)が組み付けられている。
【００３３】
〔アームおよびサブアームおよび連結用のギア〕
図２に示すように、メインアーム８は、片側は給紙カバー７にて固定されており、もう片側は、読み取り部内側搬送ガイド１２にて固定されている。また、図５にて示すように、第１ギア１７と第２ギア１８とは互いに噛あった状態でそれぞれ側板１０に組みつけられている。同様に、第３ギア２１と第４ギア２４とは互いに噛み合った状態でそれぞれ側板１０に組みつけられている。さらに、第１ギア１７、第２ギア１８、第３ギア２１、第４ギア２４には平面部に突起物が設けられている。図５にて示すように、第１サブアーム１４は、片側は第１内側搬送ガイド１１にて固定されており、もう片側は、第１ギア１７にある嵌合物と嵌合されることで固定されている。図５にて示すように、第２サブアーム１９は、片側は読み取り部内側搬送ガイド１２にて固定されており、もう片側は、第２ギア１８にある嵌合物と嵌合されることで固定されている。図５にて示すように、第３サブアーム２０は、片側は読み取り部内側搬送ガイド１２にて固定されており、もう片側は、第３ギア２１にある突起物と嵌合されることで固定されている。図５にて示すように、第４サブアーム２３は、片側は第２内側搬送ガイド１３にて固定されており、もう片側は、第４ギア２４にある嵌合物と嵌合されることで固定されている。
【００３４】
〔搬送経路〕
図５には示していないが、第１内側搬送ガイド１１は外装カバーによって軸支されており、矢印Ｇ方向に回転可能であるが、第１サブアーム１４を軸支することで回転が規制されている。また、第１内側搬送ガイド１１はトーションスプリング１６の片側アームを支えている。図５に示すように、読み取り部内側搬送経路１２は矢印Ａ方向の直線運動が可能となっているが、メインアーム８を軸支することによって、その直線運動が規制されている。また、図４に示すように、側板１０と読み取り部内側搬送ガイド１２との間には、スプリング１５が設けられている。図５には示していないが、第２内側搬送ガイド１３も同様に外装カバーによって軸支されており、矢印Ｂ方向に回転可能であるが、第４サブアーム２３を軸支することで回転が規制されている。また、第２内側搬送ガイド１３はトーションスプリング１６の片側アームを支えている。メインアーム８、第１サブアーム１４、第２サブアーム１９、第３サブアーム２０、第４サブアーム２３、第１ギア１７、第２ギア１８、第３ギア２１、第４ギア２４、トーションスプリング１６、スプリング１５は、原稿読み取り装置の両側に設けられている。また、トーションスプリング１６は、図１０に示すように、２つのトーションスプリング３６、３７であっても構わない。
【００３５】
〔ジャム除去ダイヤル２７〕
第１搬送ローラ２５および第２搬送ローラ２６は、ゴム状の素材(たとえばＥＰＤＭ)でできており、それぞれが、シャフトにしめしろ状態で嵌合し固定されている。また、図３に示すように、ジャム解除ダイヤル２７は、第１搬送ローラ２５のシャフトに組み付けられている。さらに、ジャム解除ダイヤル２７は、タイミングベルト２９を介して、ジャム解除ダイヤル連結用ギア２８と連結されている。ジャム解除ダイヤル連結用ギア２８は、第２搬送ローラ２６のシャフトに組み付けられている。
【００３６】
〔規制板２２〕
図８に示すように、側板１０には、原稿読み取り部の原稿幅方向の運動を規制するために、コの字型の規制板２２が取り付けられている。さらに、読み取り部内側搬送ガイド１２には搬送ガイド規制ピン３２が組み付けられている。搬送ガイド規制ピン３２は、規制ピン用スプリング３３によって、常に規制板２２側(矢印Ｆ方向)に付勢している。規制板２２は、コの字型ではなく、単なる直線状の板材でも構わない。規制板２２は、原稿読み取り装置両側に設けられている。
【００３７】
[ジャム解除機構の動作]
以下、搬送経路内にて、ジャムが発生したときに、ジャム用紙除去手段の説明を行う。図５にて示すように、給紙カバー７を矢印Ｇ方向に開けることで、メインアーム８を介して、読み取り部内側搬送ガイド１２が矢印Ａ方向に移動する。読み取り部内側搬送ガイド１２が矢印Ａ方向に移動することで、図３に示すように、原稿読み取り部の搬送経路の紙厚方向の幅を広くすることができる。さらに、読み取り部内側搬送ガイド１２が図５に示す矢印Ａ方向に直線運動を行うことで、第２サブアーム１９、第２ギア１８、第１ギア１７、第１サブアーム１４を介して、第１内側搬送ガイド１１が支軸を中心に回転(回転方向は、図５に示す矢印Ｂ方向)する。これによって、図３に示すように搬送経路の紙厚方向の幅を広くすることができる。読み取り部内側搬送ガイド１２が図５に示す矢印Ａ方向に直線運動を行うことで、第３アーム２０、第３ギア２１、第４ギア２４、第４サブアーム２３を介して、第２内側搬送ガイド１３も支軸を中心に回転(回転方向は、図５に示す矢印Ｃ方向)する。これによって、図３に示すように搬送経路の紙厚方向の幅を広くすることができる。また、図６に示すように、給紙カバー７を開けることで、給紙カバー保持ピン３が矢印Ｄ方向に移動する。図７にて示すように、給紙カバー７が所定の角度まで開くと、保持ピン用スプリング３１はピン収容溝３０に収容される。
【００３８】
給紙カバー７を図３に示す状態まで開けた後に、ジャム解除ダイヤル２７を手動にて回転させる。ジャム解除ダイヤル２７が回転することで、第１搬送ローラ２５のシャフトを介して第１搬送ローラ２５が回転し、また、タイミングベルト２９、ジャム解除ダイヤル連結用ギア２８、第２搬送ローラ２６のシャフトを介して第２搬送ローラ２６が回転する。その結果、ジャム解除ダイヤル２７を回し、第１搬送ローラ２５および第２搬送ローラ２６を回転させることで、搬送経路内にて停止していたジャム用紙を所定の位置まで強制搬送させることができ、ジャム用紙を除去することができる。ジャム解除後に給紙カバー７を一定以上の力で閉じる際に、給紙カバー保持ピン３は、ピン収容溝３０から逃げ、図７に示す矢印Ｈ方向へと移動する。
【００３９】
以上のことから、用紙搬送経路内にて用紙が蛇腹状になる用紙ジャムが発生した場合、給紙カバー７を開けることによって、第１内側搬送ガイド１１、読み取り部内側搬送ガイド１２、第２内側搬送ガイド１３の用紙厚さ方向の幅が広くなり、ジャム解除ダイヤル２７を低負荷で回すことが可能になるので、容易にジャム除去を行うことができる。また、給紙カバー７を開いたときは、給紙カバー保持ピン３が、ピン収容溝３０にはまっており、さらに保持ピン用スプリング３１が給紙カバー保持ピン３を側板１０側(図６で示す矢印Ｅ方向)に付勢しているので、その給送経路を開放状態を手で支えることなく維持することができる。
【００４０】
さらに、給紙カバー７を一定の力で閉じるだけで、給紙カバー保持ピン３は図７に示す矢印Ｈ方向に移動するので、ジャム解除後、ワンタッチで給紙カバー７を閉じることができる。また、本原稿読み取り装置が、給紙カバー７を閉じて用紙を通常状態で搬送しているときに、第１内側搬送ガイド１１、読み取り部内側搬送ガイド１２、第２内側搬送ガイド１３が、外的要因による振動によって直線または回転運動をしてしまう場合、適切に搬送できていた用紙が、搬送経路と衝突してしまい、かえってジャムを誘発してしまう恐れがある、といった不具合が考えられる。
【００４１】
しかし、第１内側搬送ガイド１１と第２内側搬送ガイド１３にてアームを支持されるトーションバネ１６および読み取り部内側搬送ガイド１２に組みつけられているスプリング１５の弾性力によって、第１内側搬送ガイド１１、読み取り部内側搬送ガイド１２、第２内側搬送ガイド１３は、給紙カバー７が閉じている状態では直線または回転運動ができないため、上述した不具合の可能性を回避することができる。さらに、規制ピン用スプリング３３に付勢された搬送ガイド規制ピン３２によって、読み取り部内側搬送ガイド１２は、給紙カバー７の閉時に外的振動が生じた場合でも、用紙幅方向に微小な振動程度しかできないので、本原稿読み取り装置の読み取り画像の精度をより確実に保証できる。
【００４２】
したがって、上述した実施の形態によれば、例えば用紙搬送経路内にて用紙が蛇腹状になる搬送ジャムが発生した場合でも、給紙カバー７を開けることで、搬送経路の用紙厚さ方向の幅を広げることができるので、蛇腹状用紙と搬送経路とが接触面積を低減できるため、低負荷でジャム除去ダイヤルを回すことができ、操作性よくジャム解除を行うことができる。加えて、ジャム除去を行う際には、給紙カバーを開けるだけで良く、本機構を搭載したマシンの胴回りを増加させることがないので、装置の設置スペースを縮小化することができる。
【００４３】
また、給紙カバー７を開けたときに、分割された搬送経路が支軸を中心に回転することができるので、たとえ用紙の搬送経路に曲線状になっている箇所があっても、搬送経路用紙厚さ方向の幅を広げることができ、用紙搬送経路のいたる所で、搬送経路用紙厚さ方向の幅を、広げることができる。また、移動可能な内側搬送ガイドが、搬送経路の用紙厚さ方向の幅を至るところで広げるために必要かつ最小限である３つにのみ分割されているので、内側搬送ガイドが回転することによって、かえって搬送経路用紙厚さ方向の幅を狭めてしまう箇所をなくすことができる。
【００４４】
また、給紙カバー７を開ける際に生じる力を、回転可能な搬送ガイドの略回転接線方向に方向変換させる機構を有しているので、給紙カバー７を開ける際の回転移動量に対して、回転可能な内側搬送ガイドの回転移動量を多くとることができる。また、回転可能な内側搬送ガイドを、連結する棒状部材が、確実に回転接線方向に引っ張るので給紙カバー７を開ける際の力を低減することができる。また、給紙カバー７の閉時に、直線または回転運動可能な内側搬送ガイドを、スプリング等の弾性部材によって規制しているので、本機構を搭載した装置の通常使用時に、外的振動によって、内側搬送ガイドが直線または回転運動をしてしまい、適正に原稿搬送内を通過している用紙に対してジャムを誘発してしまう、という危険性を回避することができる。
【００４５】
また、原稿読み取り部を含む内側搬送ガイドが用紙幅方向に動かないよう規制する機構を設けているので、給紙カバー７の閉時に本機構を搭載した装置が用紙印字部を読み取っている場合に、原稿読み取り部を含む内側搬送ガイドが、外的振動により、用紙幅方向に動いてしまい、読み取り画像の精度を劣化させてしまう、という危険性を回避することができる。また、原稿読み取り部を含む内側搬送ガイドは、常に、スプリングに付勢されたピンによってマシン中央側に押されているので、給紙カバー７の閉時においても、原稿読み取り部を含む内側搬送ガイドは用紙幅方向に微小な振動程度しかせず、本機構を搭載した装置の読み取り画像の精度をより確実に保証することができる。
【００４６】
（第２の実施の形態）
つぎに上述した第１の実施の形態とは異なる第２の実施の形態を図９および図１０を参照して説明する。図９は、支え棒３４と給送経路溝３５を示す。図１０は、第１内側搬送ガイド１１、読み取り部内側搬送ガイド１２、第２内側搬送ガイド１３を連結するリンク機構を示す。よって、この第２の実施の形態では、第１の実施の形態同一部分は同一符号を付してその重複説明は省略し、異なる点のみについて説明する。
【００４７】
第１の実施の形態にて示した、給紙カバー保持ピン３、保持ピン用スプリング３１、ピン収容溝３０を設けることはせず、以下の構成を持つ機構を代用することができる。すなわち、片側は給紙カバー７にて軸支され、もう片側はどこにも固定されず内側搬送ガイド９に接触しているだけの支え棒３４と、給送経路に支え棒３４を嵌めるための給送経路溝３５を設ける。この機構おいても、給紙カバー７を開けたときに、支え棒３４が給送経路溝３５にはまり込み、給紙カバー７を開いた状態を維持することで、搬送経路において用紙厚さ方向の幅を広げた状態を維持することができる。
【００４８】
第１の実施の形態にて示した、第１サブアーム１４、第２サブアーム１９、第３サブアーム２０、第４サブアーム２３、第１ギア１７、第２ギア１８、第３ギア２１、第４ギア２４を設けることはせず、以下の構成を持つ機構を代用することができる。すなわち、図１０にて示すように、第１内側搬送ガイド１１および読み取り部内側搬送ガイド１２および第２内側搬送ガイド１３が、第１棒状部材３８、第２棒状部材３９によって構成されるリンク機構にて連結されており、給紙カバー７が矢印Ｇ方向に開いたときに、メインアーム８、第１棒状部材３８、第２棒状部材３９を介して、第１内側搬送ガイド１１は矢印Ｂ方向に回転し、読み取り部内側搬送ガイド１２は矢印Ａ方向に直線運動し、第２内側搬送ガイド１３は矢印Ｃ方向に回転する。
【００４９】
したがって、上述した実施の形態によれば、給紙カバー７を開けたときに、給紙カバー７の開いている状態を維持する機構が、給紙カバー７の開き状態を維持し、それによって、搬送経路は開放状態が維持されるので、手で給紙カバー７を支えることなく、ジャム解除ダイヤル２７を回すことができ、ジャム解除時の操作性を向上させることができる。また、一定以上の力で給紙カバー７を閉じる際には、側板１０にあるピン収容溝３０に収容されていた給紙カバー７を支えるピンが、簡単に溝から出ていくので、ワンタッチで給紙カバーを閉じることができ、ジャム除去終了後の操作性を向上させることができる。
【産業上の利用可能性】
【００５０】
以上のように、本発明にかかる給紙搬送装置のジャム解除機構は、自動原稿搬送装置を搭載したスキャナ、複写機、ファクシミリ装置、および印字装置や紙幣自動預け払い機などの紙類を搬送する装置などに適している。
【図面の簡単な説明】
【００５１】
【図１】この実施の形態にかかるジャム解除機構の給紙カバーを閉じているときの全体構造を示す斜視図である。
【図２】給紙カバーを閉じた状態と搬送経路およびこれらを連結する部材を示す説明図である。
【図３】給紙カバーを開けたときの全体構造を示す斜視図である。
【図４】読み取り部内側搬送ガイドにおけるスプリングの組み付け状態を示す説明図である。
【図５】この実施の形態にかかる給紙搬送装置のジャム解除機構を搭載した原稿読み取り装置を示す側面図である。
【図６】給紙カバーに、給紙保持ピンが組み付けられている状態(給紙カバーは開いた状態)を示す説明図である。
【図７】給紙カバーを所定角度まで開けたときに、給紙保持ピンが側板にある収容溝に収容される状態を示す説明図である。
【図８】搬送ガイド規制ピンが読み取り部内側搬送ガイドを用紙幅方向に規制している状態を示す説明図である。
【図９】支え棒と給送経路溝の構成を示す説明図である。
【図１０】第１内側搬送ガイド、読み取り部内側搬送ガイド、第２内側搬送ガイドを連結するリンク機構を示す説明図である。
【符号の説明】
【００５２】
１  分離パッド
３  給紙カバー保持ピン
４  ピックアップローラ
５  ローラフォルダ
６  分離ローラ
７  給紙カバー
８  メインアーム
９  内側搬送ガイド
１０  側板
１１  第１内側搬送ガイド
１２  読み取り部内側搬送ガイド
１３  第２内側搬送ガイド
１４  第１サブアーム
１５  スプリング
１６  トーションスプリング
１７  第１ギア
１８  第２ギア
１９  第２サブアーム
２０  第３サブアーム
２１  第３ギア
２２  規制板
２３  第４サブアーム
２４  第４ギア
２５  第１搬送ローラ
２６  第２搬送ローラ
２７  ジャム解除ダイヤル
２８  ジャム解除ダイヤル連結用ギア
２９  タイミングベルト
３０  ピン収容溝
３１  保持ピン用スプリング
３２  搬送ガイド規制ピン
３３  規制ピン用スプリング
３４  支え棒
３５  給送経路溝
３６  第１トーションスプリング
３７  第２トーションスプリング
３８  第１棒状部材
３９  第２棒状部材
【図１】
2010083657.tif 000003
【図２】
2010083657.tif 000004
【図３】
2010083657.tif 000005
【図４】
2010083657.tif 000006
【図５】
2010083657.tif 000007
【図６】
2010083657.tif 000008
【図７】
2010083657.tif 000009
【図８】
2010083657.tif 000010
【図９】
2010083657.tif 000011
【図１０】
2010083657.tif 000012